(57)【要約】      （修正有）【課題】必要な時以外にはＡＣ電源の電力を消費させないようにし、可及的に消費電力を低減できるようにした電気炊飯器等の電気加熱器具を提供。【解決手段】加熱用の電熱手段と、電熱手段駆動用の電源回路３０と、電熱手段制御用のマイコン制御回路４０とを備えてなる電気加熱器具において、同器具の待機状態等では、自動的に上記電源回路３０への電源の供給をＯＦＦにする一方、必要に応じて電源復帰スイッチＳＷ１をＯＮ操作することにより電源の供給を行うようにした。このような構成によると、待機状態等における無駄な消費電力を略ゼロレベルに低減することができるようになり、省エネ効果の高いものとなる。しかも、同省エネ待機中においても、必要に応じて電源復帰スイッチＳＷ１をＯＮ操作することにより電源の供給を行うことができる。【選択図】図２
2012235813.tif 000002
【特許請求の範囲】
【請求項１】
加熱用の電熱手段と、電熱手段駆動用の電源回路と、電熱手段制御用のマイコン制御回路とを備えてなる電気加熱器具であって、器具待機状態では、自動的に上記電源回路への電源の供給をＯＦＦにする一方、必要に応じて電源復帰スイッチをＯＮ操作することにより電源の供給を行うようにしたことを特徴とする電気加熱器具。
【請求項２】
加熱用の電熱手段と、電熱手段駆動用の電源回路と、電熱手段制御用のマイコン制御回路と、タイマー予約手段とを備えてなる電気加熱器具であって、タイマー予約設定後、電熱手段の加熱動作が開始されるまでのタイマー予約状態では、上記電源回路への電源の供給をＯＦＦにする一方、上記マイコン制御回路のマイコンをスリープ状態にするようにしたことを特徴とする電気加熱器具。
【請求項３】
加熱用の電熱手段と、電熱手段駆動用のメインリレーを有するメインリレーを有する電源回路と、電熱手段制御用のマイコン制御回路とを備え、器具待機状態および又はタイマー予約設定後、電熱手段の加熱動作が開始されるまでのタイマー予約状態では、自動的に上記電源回路への電源の供給をＯＦＦにする一方、必要に応じて電源復帰スイッチをＯＮ操作することにより電源の供給を行うようにしてなる電気加熱器具であって、上記電源復帰スイッチのＯＮによる電源の復帰時には、まずマイコン制御回路をＯＮにした後、予備充電回路をＯＮにした上で、電熱手段駆動用のメインリレーをＯＮにするようにしたことを特徴とする電気加熱器具。
【発明の詳細な説明】
【技術分野】
【０００１】
本願発明は、待機時等の省エネ性能を向上させた電気炊飯器その他の電気加熱器具の構成に関するものである。
【背景技術】
【０００２】
最近のマイコン制御式の電気炊飯器では、高い加熱出力で効率良く炊飯を行ない、炊飯が完了すると、自動的に保温工程に移行し、ユーザーにより保温取消スイッチが押されるか又は予じめ設定された保温設定時間が経過するまでの間は、ご飯の温度が予じめ設定した所望の保温温度に維持されるように、ご飯の温度を検出しながら保温ヒータ等保温加熱手段の加熱量を適切に制御するようになっている（特許文献１参照）。
【先行技術文献】
【特許文献】
【０００３】
【特許文献１】特開２０００−１４５４１号公報（明細書第１−１０頁、図１−１１）
【発明の概要】
【発明が解決しようとする課題】
【０００４】
ところが、同従来の電気炊飯器の場合、電源回路にＡＣ電源コードが接続されている限り、タイマー予約中を含めて、炊飯スイッチがＯＮになり、実際に炊飯が開始されるまでの待機時間内にも、その電源回路、マイコン制御回路のすべてにＡＣ電源からの動作電源が供給されるようになっており、そのために相当の電力が無駄に消費されている。
【０００５】
本願発明は、このような事情に基いてなされたもので、待機状態やタイマー予約中では電源回路に対するＡＣ電源からの電源の供給を遮断し、必要に応じて電源復帰スイッチをＯＮ操作して電源を供給するようにすることによって、それぞれ必要な時以外にはＡＣ電源の電力を消費させないようにし、可及的に消費電力を低減できるようにした電気加熱器具を提供することを目的とするものである。
【課題を解決するための手段】
【０００６】
本願各発明は、上記の目的を達成するために、それぞれ次のような課題解決手段を備えて構成されている。
【０００７】
（１）  請求項１記載の発明
この発明の電気加熱器具は、加熱用の電熱手段と、電熱手段駆動用の電源回路と、電熱手段制御用のマイコン制御回路とを備えてなる電気加熱器具であって、器具待機状態では、自動的に上記電源回路への電源の供給をＯＦＦにする一方、必要に応じて電源復帰スイッチをＯＮ操作することにより電源の供給を行うようにしたことを特徴としている。
【０００８】
このような構成によると、上述した待機状態における無駄な消費電力を略ゼロレベルに低減することができるようになり、省エネ効果の高いものとなる。
【０００９】
しかも、同省エネ待機中においても、必要に応じて電源復帰スイッチをＯＮ操作することにより電源の供給を行うことができる。またバックアップ電源により、最低減のマイコンによる制御回路の制御機能は維持させることができるので、タイマー予約中のタイマー動作等は省エネも可能となる。
【００１０】
（２）  請求項２記載の発明
この発明の電気加熱器具は、加熱用の電熱手段と、電熱手段駆動用の電源回路と、電熱手段制御用のマイコン制御回路と、タイマー予約手段とを備えてなる電気加熱器具であって、タイマー予約設定後、電熱手段の加熱動作が開始されるまでのタイマー予約状態では、上記電源回路への電源の供給をＯＦＦにする一方、上記マイコン制御回路のマイコンをスリープ状態にするようにしたことを特徴としている。
【００１１】
このような構成によると、タイマー予約設定後、電熱手段の加熱動作が開始されるまでのタイマー予約状態における無駄な消費電力を略ゼロレベルに低減することができるようになり、省エネ効果の高いものとなる。
【００１２】
しかも、同タイマー予約中において、さらにマイコン制御回路のマイコンをもスリープ状態にするので、同タイマー予約中の省エネ性能が、より向上する。
【００１３】
（３）  請求項３記載の発明
この発明の電気加熱器具は、加熱用の電熱手段と、電熱手段駆動用のメインリレーを有するメインリレーを有する電源回路と、電熱手段制御用のマイコン制御回路とを備え、器具待機状態および又はタイマー予約設定後、電熱手段の加熱動作が開始されるまでのタイマー予約状態では、自動的に上記電源回路への電源の供給をＯＦＦにする一方、必要に応じて電源復帰スイッチをＯＮ操作することにより電源の供給を行うようにしてなる電気加熱器具であって、上記電源復帰スイッチのＯＮによる電源の復帰時には、まずマイコン制御回路をＯＮにした後、予備充電回路をＯＮにした上で、電熱手段駆動用のメインリレーをＯＮにするようにしたことを特徴としている。
【００１４】
このような構成によると、待機状態および又はタイマー予約設定後、電熱手段の加熱動作が開始されるまでのタイマー予約状態における無駄な消費電力を略ゼロレベルに低減することができるようになり、省エネ効果の高いものとなる。
【００１５】
一方、電源復帰スイッチが設けられていて、必要に応じて、電源復帰スイッチをＯＮ操作することにより電源の供給を行うことができるので、必要な時には任意に上記電源回路への電源の供給を復帰させることができる。
【００１６】
しかも、同電源復帰スイッチのＯＮによる電源の復帰時には、まずマイコン制御回路をＯＮにした後、予備充電回路をＯＮにした上で、電熱手段駆動用のメインリレーをＯＮにするようにしており、それによりメインリレーの接点が電源復帰時の突入電流で損傷することを回避することができる。
【発明の効果】
【００１７】
以上の結果、本願発明によると、従来に比べて、待機中および又はタイマー予約中時の省エネ性能が高い電気炊飯器等電気加熱器具を低コストに提供することが可能となる。
【図面の簡単な説明】
【００１８】
【図１】本願発明の実施の形態１に係る電気炊飯器の炊飯器全体の構成を示す縦断面図である。
【図２】同電気炊飯器の電源回路（待機電力等低減回路）の構成を示す電気回路図である。
【図３】同電気炊飯器のワークコイル駆動回路の構成を示す電気回路図である。
【図４】本願発明の実施の形態２に係るコーヒーメーカ−の電源回路（待機電力等低減回路）の構成を示す電気回路図である。
【図５】同コーヒーメーカ−の図４の回路の動作を示すタイムチャートである。
【発明を実施するための形態】
【００１９】
＜実施の形態１＞
図１〜図３は、本願発明の電気加熱器具の構成を電気炊飯器に適用した実施の形態１に係る電気炊飯器の炊飯器本体の全体的な構造および電源回路部分の構成を示している。
【００２０】
（全体の構成）
この電気炊飯器では、一例として、例えば内鍋（飯器ないし保温容器）３として非金属材料からなる鍋（例えば、セラミック製の土鍋）が採用されており、その底壁部３ａの底部中央面（フラット面）および該底壁部３ａ外周の湾曲面部（Ｒ面部）には、それぞれ内部に誘起されるうず電流によって自己発熱が可能な例えば銀ペースト等よりなる第１，第２の誘導発熱体Ｇ１，Ｇ２が設けられている。
【００２１】
そして、この電気炊飯器は、同構成の内鍋３と、該内鍋３を任意に収納セットし得るように形成された下部側合成樹脂製の皿状の底壁部４および上部側筒状の側壁部６よりなる内ケース４６と、該内ケース４６を保持する外部筺体である有底筒状の外ケース１ａと、該外ケース１ａと上記内ケース４６とを一体化して形成された炊飯器本体１の上部に開閉可能に設けられた蓋ユニット２とから構成されている。
【００２２】
外ケース１ａの前面部上方には、操作パネル２０が設けられている。そして、該操作パネル２０面には、例えば十分に広く大きな表示面積をもつ液晶表示部２１と炊飯開始スイッチ、タイマー予約スイッチ、取消スイッチ、保温スイッチ、再加熱スイッチ、メニュー選択スイッチ、時スイッチ、分スイッチ等の各種入力スイッチ（タッチキースイッチ）が設けられている。
【００２３】
また、該外ケース１ａ内の上記操作パネル２０の内側部分（裏側空間）には、内ケース４６側制御基板Ｂ１（制御基板カバー２５）の上端に対応する位置から斜め前方に下降する格好で、マイコン基板Ｂ２（および音声基板１９）がマイコン基板カバー１８を介して傾斜設置されている。
【００２４】
一方、内ケース４６の底壁部４の下方側には、フェライトコア収納部を備えたコイルカバー（コイル台）２９が設けられ、その下部にはフェライトコア（符号省略）を配置し、またそれらの間には、上記内鍋３の底壁部３ａの中央部側フラット面と外周部側湾曲面の上記第１，第２の２組の誘導発熱体Ｇ１，Ｇ２位置に対応して各々リッツ線が同心状に巻成された第１，第２の２組のワークコイルＣ１，Ｃ２が設けられており、それらへの通電時には上記内鍋３の上記第１，第２の誘導発熱体Ｇ１，Ｇ２にうず電流を誘起して、上記内鍋３を加熱するようになっている。
【００２５】
上記内ケース４６（およびコイルカバー２９）の前方部側には、上記ワークコイルＣ１，Ｃ２、保温ヒータＨ１等を駆動制御するＩＧＢＴ（パワートランジスタ）やヒータ駆動回路、電源電圧整流用のダイオードブリッジよりなる整流回路、平滑回路などを備えた制御基板Ｂ１および制御基板カバー２５が上下立設状態で設けられている。
【００２６】
上記内ケース４６の皿状の底壁部４は、その底面部４ａの中央部にサーミスタＳ１を内装したセンターセンサーＣＳのセンサー部嵌合口４ｆが形成されているとともに、同センサー部嵌合口４ｆの外周側上面にはドーナツ状の遮熱板３０が設けられている。また、外周側湾曲面部４ｂの上端側には、所定幅半径方向外方に張り出したフランジ状の段部４ｃが設けられ、この段部４ｃ部分に上記上部側筒状の側壁部６の下端６ａ側が係合載置されている。
【００２７】
他方、同上部側筒状の側壁部６の上端６ｂは、図示しない内枠部材を介して上記炊飯器本体１側外ケース１ａ上端の肩部材１１側に連結して固定されている。
【００２８】
また、上記内ケース４６の上部側筒状の側壁部６の外周には、炊飯および保温時において加熱手段として機能する保温ヒータＨ１が設けられており、炊飯時および保温時において上記内鍋３の全体を有効かつ均一に加熱するようになっている。
【００２９】
そして、上記内ケース４６の下部側底壁部４の底面部４ａとコイルカバー２９の底壁部２９ａとの間には、その前部側から後部側に到る冷却用の通風路が形成されている。
【００３０】
すなわち、上記内ケース４６の底壁部４の底面部４ａの下面部外周には、図示はしないが、円弧状の薄肉の筒状壁（薄肉リブ）が周方向に沿って立設されており、その前部と後部には、筒壁のない切欠部が設けられているとともに、それらの間には、例えば平面三角形状の複数の台状リブが所望の間隔で所望の位置、かつ所望の方向に散在するように設けられている。
【００３１】
また、これも図示はしていないが、上記コイルカバー２９の底壁部２９ａの上面部外周には、上記内ケース４６の底壁部４の底面部４ａの下面側筒状壁に対応した同様の円弧状の薄肉の第１の筒状壁（薄肉リブ）が上方に向けて立設されているとともに、それらの間には、平面三角形状の複数の台状リブが上記内ケース４６の底壁部４の台状のリブと対称な位置関係で散在するように設けられている。
【００３２】
さらに、このコイルカバー２９の場合、上記第１の筒状壁よりも所定幅半径方向外方に位置する上記底壁部２９ａ外周縁の上記後部側切欠部に対向する半径方向位置には、当該後部側切欠部の開口部の円弧角幅よりも十分に大きな円弧角幅の薄肉の第２の筒状壁（薄肉リブ）が上方に向けて立設されている。
【００３３】
これら内ケース４６の底壁部４の筒状壁とコイルカバー２９の底壁部２９ａの第１の筒状壁とは、例えば内ケース４６の底壁部４に対して第１のワークコイルＣ１を介してコイルカバー２９を下方から嵌合した時に、相互に摺接した状態で嵌合し合って、第１のワークコイルＣ１の周囲を囲む略円形の通風空間を形成する。
【００３４】
また、この嵌合状態では、上記第１のワークコイルＣ１の渦巻状の各線輪が、上記上下両側に位置して相互に対向する台状のリブ間に安定した状態で挟圧支持され、当該第１のワークコイルＣ１の上下に有効な通風スペースが形成される。
【００３５】
（蓋ユニットの構成）
さらに蓋ユニット２は、その外周面を構成するとともに中央部に調圧パイプ１５を備えた合成樹脂製の外カバー１２と、該外カバー１２の内側に嵌合一体化して設けられた合成樹脂製の内枠１３と、該内枠１３の内側開口部内に嵌合された金属製の放熱板１６ａ（蓋ヒータは図示省略）と、該放熱板１６ａの下方に設けられた金属製の内蓋１６ｂとを備えて構成されている。また、放熱板１６ａの外周縁部下方および内蓋１６ｂの外周縁部下方には、それぞれパッキン１４ａ，１４ｂが設けられており、内蓋１６ｂは、同パッキン１４ｂを介して内鍋３の開口縁部３ｃの上面部に接触させられている。また、１５ａは調圧パイプ１５内の調圧弁、１５ｂはその下部側キャップ、１５ｃは転倒時の止水ボール弁である。
【００３６】
この蓋ユニット２は、図示しない上記外ケース１上部の後端側で肩部材１１に対してヒンジ機構を介して回動自在に取付けられており、その開放端側には、該蓋ユニット２の所定位置に係合して該蓋ユニット２の上下方向への開閉を行うロック機構１０が設けられている。
【００３７】
（制御回路部分の構成）
次に、図２，図３は、上述のように構成された炊飯器本体側の炊飯又は保温制御を行う電源回路および制御用のマイコンを中心とする制御回路部分の構成を示している。
【００３８】
これらの回路では、上述のような加熱用の電熱手段と、電熱手段駆動用の電源回路と、電熱手段制御用のマイコン制御回路とを備えてなる電気加熱器具である電気炊飯器において、ＡＣ電源回路にＡＣ電源コードが接続されてはいるが、実際には上述した炊飯開始スイッチがＯＮ操作されておらず、未だ炊飯が開始されていない器具待機状態、及び又はタイマー予約炊飯設定を行った場合において、予約設定完了後実際に炊飯が開始されるまでの間のタイマー予約中には、自動的に上記電熱手段駆動用の電源回路への電源の供給をＯＦＦにする一方、必要に応じて別途設けられた電源復帰スイッチをＯＮ操作することによって、強制的に電源の供給を行えるようにしたことを特徴としている。
【００３９】
また、同待機状態又はタイマー予約状態では、さらに必要に応じて、上記マイコン制御回路の制御用のマイコンをスリープ状態にするようにしている。
【００４０】
しかも、その場合において、上記電源復帰スイッチのＯＮによる電源の復帰時には、まず上記制御用のマイコンをＯＮにして本来の制御機能を復帰させた後、所定の負荷抵抗をもつ予備充電回路をＯＮにし、突入電流を消費させた上で、最終的に電熱手段に電源を供給するためのメインリレーのリレー接点をＯＮにするようにしている。
【００４１】
すなわち、図２中、先ず符号３０はＡＣ電源（受電用電源コネクタ）、次に符号３１は、同ＡＣ電源３０からのＡＣ電源を電源をフューズＦ１およびメインリレーのリレー接点ＲＳを介して導入し、ＤＣ電源に整流して出力する整流回路、さらに符号３２は同整流回路３１から出力されるＤＣ電源によって動作し、電熱手段としての上述したワークコイルＣ１，Ｃ２を駆動するワークコイル駆動回路である。
【００４２】
ワークコイル駆動回路３２は、例えば図３のように構成されており、符号３３は周知のチョークコイル、Ｃｂは周知の共振コンデンサ、Ｃａは周知の平滑コンデンサ、３６は周知のＩＧＢＴ（パワートランジスタ）、３７は上記ＩＧＢＴ（パワートランジスタ）３６の駆動回路である。
【００４３】
一方、符号４０は上記操作パネル２０側のマイコン基板Ｂ２上に設けられている炊飯又は保温制御用の制御マイコンであり、該制御マイコン４０には、上記ＡＣ電源３０側からフォトカプラ用のフォトモススッチＳＷ２、第１の逆流防止用ダイオードＤ１、電流制限抵抗Ｒ４、発光ダイオードおよびフォトトランジスタよりなる第１のフォトカプラＰＣ１を介して、上記ＡＣ電源３０のＡＣ電源電圧のゼロクロス信号が検出され、制御基準信号として入力されるようになっている。また制御マイコン４０には、同じく上記ＡＣ電源３０側からフォトカプラ用のフォトモススッチＳＷ２、第２の逆流防止用ダイオードＤ２、ＡＣ／ＤＣコンバータ４１、第３の逆流防止用ダイオードＤ３を介して動作用のＤＣ電源が供給されるようになっている。
【００４４】
さらに、同制御マイコン４０には、第４の逆流防止用ダイオードＤ４を介してバックアップ電源（バッテリー）Ｅが接続されており、停電時等のバックアップがなされるようになっている。
【００４５】
この制御マイコン４０は、例えば上記電源回路に上記ＡＣ電源３０が接続されているにも拘わらず、所定時間以上炊飯開始スイッチがＯＮ操作されなかった時（保温機能がある炊飯器の場合には、保温終了後、所定時間以上炊飯開始操作がなされなかった場合）およびタイマー予約炊飯設定操作がなされた場合において、同予約設定が完了した時には、それらの各場合を判定し、上記メインリレーのリレーコイルＲＬを励磁し、対応するリレー接点ＲＳ（ａ接点）をブレークする。
【００４６】
そして、これによって上記待機中およびタイマー予約中は、上記整流回路３１およびワークコイル駆動回路３２へのＡＣ電源の供給を遮断し、無駄な消費電流の低減を図る。
【００４７】
一方、以上のようにしてＡＣ電源を遮断すると同時に上記フォトモススッチＳＷ２をＯＦＦにすることによって、上記ＡＣ／ＤＣコンバータ４１をもＯＦＦにし、バックアップ電源Ｅによってのみ動作させるようにする。
【００４８】
このため、バックアップ電源Ｅの消費電力を可及的に小さくするために、同状態では上記制御マイコン４０はスリープ状態に制御される。
【００４９】
なお、この時、以下に述べる電源復帰スイッチ（例えば、一例としてフォトモススッチＳＷ２と並列に接続されているバネ復帰型のａ接点式プッシュスイッチ）ＳＷ１は、ＯＮ操作後の自己復帰によりＯＦＦ状態にある。
【００５０】
ところで、上記メインリレーのリレー接点ＲＳには、図示のようにトライアックＴＲＣと所定の電流制限抵抗Ｒ１の直列回路よりなる予備充電回路が並列に接続されており、該予備充電回路のトライアックＴＲＣのトリガー端子には、第２のフォトカプラＰＣ２のフォトトランジスタのエミッタ側が接続されている。また上記フォトトランジスタのコレクタ側は、上記トライアックＴＲＣ側の電流制限抵抗Ｒ１と同様に所定の電流制限抵抗Ｒ２を介してＡＣ電源３０の電源ライン（リレー接点ＲＳラインのＡＣ電源側）に接続されている。
【００５１】
さらに、上記第２のフォトカプラＰＣ２のフォトダイオードのカソード側は、所定の電流制限抵抗Ｒ３を介して上記制御マイコン４０のトライアック制御端子に接続されている。
【００５２】
そして、同制御マイコン４０によって第２のフォトカプラＰＣ２のフォトダイオードがＯＮ作動されて発光すると、対応するフォトトランジスタがＯＮ作動して、当該トライアックＴＲＣをトリガーし、ＯＮ作動させる。
【００５３】
すると、ＡＣ電源３０からの電流は、電流制限抵抗Ｒ１によって所定値以下の電流値に制限されるとともに、上記ＯＦＦ状態にあるメインリレーのリレー接点ＲＳをバイパスし、上記トライアックＴＲＣを介して整流回路３１およびワークコイル駆動回路３２に供給され、整流回路３１およびワークコイル駆動回路３２に対する予備充電機能を果たす。
【００５４】
上述のように、メインリレーのリレー接点ＲＳは、当該メインリレーのリレーコイルＲＬによってＯＮ又はＯＦＦ作動されるが、同リレーコイルＲＬの励磁状態は、上記制御マイコン４０によって制御されるようになっている。そして、例えば上記ＡＣ電源回路にＡＣ電源３０が接続されてはいるが、所定時間以上炊飯開始スイッチがＯＮ操作されておらず、未だ炊飯が開始されていない器具待機状態、又はタイマー予約炊飯設定を行った場合において、予約設定完了後実際に炊飯が開始されるまでの間のタイマー予約中などには、それらの各状態を自動的に検出判定して、当該リレーコイルＲＬを励磁することにより、リレー接点ＲＳをブレークして上記ワークコイル駆動用の電源回路への電源の供給をＯＦＦにして省エネモードを実現する一方、上記フォトモススッチＳＷ２と並列に設けた電源復帰スイッチＳＷ１のユーザーによるＯＮ操作によって上述した省エネモードが解除され、上記ワークコイル駆動用電源回路へのＡＣ電源を復帰させる場合、同フォトモススッチＳＷ２と並列に設けられている電源復帰スイッチＳＷ１のＯＮによるＡＣ／ＤＣコンバータ４１からのＤＣ電源および第１のフォトカプラＰＣ１からのゼロクロス信号を入力し、同入力に対応してまず上記フォトモススッチＳＷ２をＯＮにして、そのＯＮ状態を自己保持する。
【００５５】
これにより、上記電源復帰スイッチＳＷ１がＯＦＦ状態に戻されても、上記制御マイコン４０には上記ＡＣ／ＤＣコンバータ４１を介して動作電源が供給されるようになるので、制御マイコン４０の動作電源は確実に確保される。そして、それに対応して、上記スリープ状態も解除される。
【００５６】
その後、上記制御マイコン４０は、上記第２のフォトカプラＰＣを介して上述した予備充電回路のトライアックＴＲＣをトリガーしてＯＮ作動させ、上記メインリレーのリレー接点ＲＳをメークする前に当該予備充電回路に一旦所定の電流を流し、上記メインリレーのリレー接点ＲＳに突入電流が流れないようにした上で、所定の時間を置いて上記リレーコイルＲＬを励磁し、メインリレーのリレー接点ＲＳをメークする。
【００５７】
これにより、最終的に上記メインリレーのリレー接点ＲＳがメークされた時には、すでに電源復帰時の突入電流は消失しており、同突入電流により上記メインリレーのリレー接点ＲＳが溶着するような恐れはなくなり、安全にＡＣ電源が復帰される。
【００５８】
以上のような構成によると、待機状態および又はタイマー予約設定後、電熱手段であるワークコイルＣ１の加熱動作が開始されるまでのタイマー予約状態等における無駄な消費電力を略ゼロレベルに低減することができるようになり、省エネ効果の高いものとなる。
【００５９】
一方、電源復帰スイッチＳＷ１が設けられていて、必要に応じて、同電源復帰スイッチＳＷ１をＯＮ操作することによりＡＣ電源３０の供給を行うことができるので、必要な時には任意に上記電源回路への電源の供給を復帰させることができる。
【００６０】
しかも、同電源復帰スイッチＳＷ１のＯＮによる電源の復帰時には、まずマイコン制御回路の制御マイコン４０をＯＮにして、その制御機能を確実に復帰させた後（スリープ状態解除）、予備充電回路をＯＮにして予じめ突入電流を流した上で、電熱手段駆動用のメインリレーのリレー接点ＲＳをＯＮにするようにしており、それによりメインリレーのリレー接点ＲＳが電源復帰時の突入電流で損傷することを回避することができる。
【００６１】
これらの結果、本願発明によると、従来に比べて、待機中および又はタイマー予約中時の省エネ性能が高い電気炊飯器等電気加熱器具を低コストに提供することが可能となる。
【００６２】
（変形例）
なお、上述した図２の回路の場合、上記フォトモススッチＳＷ２は、ＡＣ電源回路の正負電源ライン間に、電解コンデンサＺｏおよびフューズＦ２を接続し、それらの中間からＡＣ電源回路を入力するように接続されており、同部分には突入電流が流れないようになっている。
【００６３】
したがって、フォトモススッチＳＷ２が溶着する恐れは生じない。
【００６４】
また、上記電源復帰スイッチＳＷ１のＯＮ動作とフォトモススッチＳＷ２のＯＮ動作との間には、若干のタイムラグが生じる。したがって、これらの間のタイムラグを解消し、フォトモススッチＳＷ２の確実な応答性を確保するために、例えば次のような構成も、必要に応じて採用される。
【００６５】
（１）  電源復帰スイッチＳＷ１を長押しタイプのものとする。
【００６６】
（２）  電源復帰スイッチＳＷ１を電子的なデイマースイッチとし、ＯＮ動作は迅速であるが、ＯＦＦ動作は所定の時定数をもって緩やかに作動するようにする。
【００６７】
（３）  電源復帰スイッチＳＷ１を自己保持型のものとし、所定の時間が経過してから切れるようにする。
【００６８】
＜実施の形態２＞
まず図４は、電気加熱器具の一例としてコーヒーメーカ−を採用した場合における本願発明の実施の形態２の構成に係る当該コーヒーメーカ−の電源回路部分の構成を示している。
【００６９】
また、図５は、同図４の電源回路の動作パターンを示すタイムチャートである。
【００７０】
従来のコーヒーメーカーの場合、器具本体のＡＣ電源回路にＡＣ電源コードが直結されており、ＡＣ電源コードがＡＣ電源コンセントに接続されると、電源スイッチとは関係なくＡＣ電源回路にＡＣ電源が入り、電源スイッチは単に加熱用の湯沸しヒータをＯＮ，ＯＦＦ駆動するだけのものとなっている。
【００７１】
したがって、上記器具本体に直結されているＡＣ電源コードがＡＣ電源コンセントに挿入されている限り、コーヒ抽出状態ではないにも拘わらず、ＡＣ電源回路にＡＣ電源が供給されており、結局無駄な電力が消費されていることになる。
【００７２】
これは、一旦ドリップが終了した後も同じことであり、結局のところ、上述した電気炊飯器における保温時間経過後の待機状態の場合と同様である。
【００７３】
そこで、この実施の形態では、例えば図４に示すように、本来有しているヒータ駆動用の電源スイッチＳＷ４を上述した実施の形態１の電源復帰スイッチに兼用することによって、器具本体の電源コードをＡＣ電源コンセントに挿入しただけでは器具本体のＡＣ電源回路（湯沸しヒータＨその他の部分）に電源が入らないようにし、電源スイッチＳＷ４が押され、かつ電源リレーが作動して初めて器具本体内の同ＡＣ電源回路部分にＡＣ電源３０が供給されるとともにヒータＨの駆動が可能となるようにしている。
【００７４】
また、その場合において、ドリップ完了後予じめ設定した所定の時間ｔｄ（図５の（ｃ），（ｄ）参照）が経過すると、制御用のマイコン４０により電源リレーのリレー接点ＲＳ１をＯＦＦにすることにより、上記ＡＣ電源回路に対するＡＣ電源の供給を遮断するようにしている。
【００７５】
そして、これらの構成により、実際にドリップが必要な時以外のいわゆる待機状態の消費電力を略ゼロにし、可及的に省エネ効果を向上させるようにしている。
【００７６】
すなわち、先ず図４の回路において、符号Ｈは上述したドリップ用の湯沸しヒータであり、該湯沸しヒータＨはサーマルスイッチ（サーモスタット）ＳＷ３、電源スイッチＳＷ４、電源リレーのリレー接点ＲＳ１、フューズＦ０を介してＡＣ電源３０に接続されている。
【００７７】
これにより、ドリップ用の上記湯沸しヒータＨは、サーマルスイッチＳＷ３がＯＮで、電源スイッチＳＷ４がＯＮ、かつ電源リレーのリレー接点ＲＳ１がＯＮになった時に初めて駆動される。
【００７８】
電源リレーのリレー接点ＲＳ１は、電源リレーのリレーコイルＲＬ１（過電流バイパス用のダイオードＤ６並設）によってメーク又はブレーク作動される。
【００７９】
リレーコイルＲＬ１には、スイッチング用の第１，第２のトランジスタＴｒ１，Ｔｒ２接続されており、制御用のマイコン４０によって第２，第１のトランジスタＴｒ２，Ｔｒ１がＯＮ，ＯＦＦ制御されることによって、励磁又は非励磁状態が制御される。
【００８０】
すなわち、上記スイッチング用の第１，第２のトランジスタＴｒ１，Ｔｒ２のエミッタ側およびコレクタ側には、それぞれ上記湯沸しヒータＨの＋側電源ラインの電源電圧をツェナーダイオードＺＤ１，ＺＤ２で規定した一定の電圧（電流）が供給されるようになっているとともに、第２のトランジスタＴｒ２のベースには、上記制御マイコン４０の電源リレー制御信号出力端子から必要に応じてスイッチング制御信号が出力されてＯＮ，ＯＦＦ制御される。
【００８１】
また、トランジスタＴｒｏは、ＡＣ電源電圧のゼロクロス信号を検出するスイッチングトランジスタ（ｐｎｐ）であり、湯沸しヒータＨの＋電源ラインと制御マイコン４０のゼロクロス信号入力端子との間に接続されている。
【００８２】
なお、図５は、図４の電源回路の動作パターンを示すタイムチャートであり、（ａ）は上述した電源スイッチＳＷ４のＯＮ，ＯＦＦ動作、（ｂ）は上記ＡＣ電源３０のゼロクロス検出信号、（ｃ）はドリップ表示用ＬＥＤの点灯動作、（ｄ）は上記電源リレーのリレー接点ＲＳ１のＯＮ動作、（ｅ）は同リレー接点ＲＳ１のＯＦＦ動作をそれぞれ示している。
【００８３】
今例えば図４のように、上述したＡＣ電源回路にＡＣ電源３０が接続されており、かつ湯沸しヒータＨのサーマルスイッチＳＷ３がＯＮになっているとしても、上記電源スイッチＳＷ４がＯＮ操作されていない限り、上記ＡＣ電源３０からのＡＣ電源は、ヒータＨ側にはもちろん、制御マイコン４０側にも供給されず、ゼロクロス信号（図５（ｂ））も検出されない。したがって、上記電源リレーのリレー接点ＲＳ１も図５（ｄ）に示すように、ブレーク状態（ＯＦＦ状態）にあり、さらに表示用ＬＥＤ駆動用のスイッチングトランジスタＴｒ３もＯＦＦであり、ドリップ可能な状態を示す表示用ＬＥＤも点灯しない。
【００８４】
それらの結果、図４の電源回路の消費電力は略ゼロの状態にあり、制御マイコン４０もスリープ状態に維持される。
【００８５】
したがって、従来に比べて消費電力は可及的に小さく低減される。
【００８６】
一方、この状態から、上記電源スイッチＳＷ４がＯＮ操作されると、先ず電源リレーのリレー接点ＲＳ１が閉じる前に、上記制御マイコン４０、ゼロクロス信号検出用トランジスタＴｒｏに電源が供給される一方、上記電源リレー制御用の第１，第２のスイッチングトランジスタＴｒ１，Ｔｒ２のコレクタ側にツェナーダイオードＺＤ１，ＺＤ２で規定された一定の電圧（電流）が供給され、制御マイコン４０からの制御信号によって上記第２，第１のスイッチングトランジスタＴｒ２，Ｔｒ１が順次ＯＮになり、上記リレーコイルＲＬ１が励磁される。
【００８７】
そして、それによって最終的に上記リレー接点ＲＳ１がＯＮになり、上記湯沸しヒータＨにＡＣ電源３０が供給される。
【００８８】
また、それと同時に上記表示用ＬＥＤ点灯用のトランジスタＴｒ３もＯＮ作動し、表示用ＬＥＤが点灯する（図５の（ａ）〜（ｄ）参照）。
【００８９】
これにより、ドリップが開始される。
【００９０】
以上のような構成のコーヒーメーカ−によると、ドリップ完了後又はドリップ開始前の待機状態における無駄な消費電力を略ゼロレベルに低減することができるようになり、省エネ効果の高いものとなる。
【００９１】
なお、図４中、Ｚ１は電界コンデンサ、Ｃ１，Ｃ２はコンデンサ、Ｄ５，Ｄ７は逆流防止用ダイオード、Ｒ５，Ｒ６，ｒ１，ｒ２，ｒ３，ｒ４，ｒ５，ｒ６は抵抗である。
【符号の説明】
【００９２】
３０はＡＣ電源、３１は整流回路、３２はワークコイル駆動回路、３３はチョークコイル、３６はＩＧＢＴ、３７はＩＧＢＴ駆動回路、４０は制御マイコンである。
【図１】
2012235813.tif 000003
【図２】
2012235813.tif 000004
【図３】
2012235813.tif 000005
【図４】
2012235813.tif 000006
【図５】
2012235813.tif 000007